(57)【要約】【課題】３次元表示を行うことができる表示装置において、簡易な構成により２次元画像の解像度の低下を防止する。【解決手段】モニタ２０の表示画面の一部に、レンチキュラーシート４２を取り付ける。モニタ２０におけるレンチキュラーシート４２に対応する領域には、左右視点用の画像から生成した３次元画像を、それ以外の領域には文字およびアイコン等の２次元画像を表示する。【選択図】図３
2010193340.tif 000002
【特許請求の範囲】
【請求項１】
２次元表示手段と、
前記２次元表示手段の表示画面の少なくとも一部を覆うように該表示画面に取り付けられた、複数のシリンドリカルレンズを平行に並べて構成されるレンチキュラーシートと、
左右視点用の画像から生成した３次元画像を、前記２次元表示手段における前記レンチキュラーシートの領域に表示し、それ以外の領域に２次元画像を表示する表示制御手段とを備えたことを特徴とする表示装置。
【請求項２】
前記２次元画像が文字を含むことを特徴とする請求項１記載の表示装置。
【請求項３】
前記表示制御手段が、画像を表す画像信号を前記表示画面における所定方向に走査することにより前記画像を表示する手段であり、
前記レンチキュラーシートが、前記表示画面を前記所定方向に沿って分割するように配置されてなることを特徴とする請求項１または２記載の表示装置。
【請求項４】
前記レンチキュラーシートの端部における前記シリンドリカルレンズの高さが徐々に小さくなるように形成されてなることを特徴とする請求項３記載の表示装置。
【請求項５】
前記表示制御手段が、前記画像を表す画像信号を前記表示画面を所定方向に走査することにより前記画像を表示する手段であり、
前記レンチキュラーシートが、前記表示画面を前記所定方向に直交する方向に沿って分割するように配置されてなることを特徴とする請求項１または２記載の表示装置。
【請求項６】
前記２次元表示手段は、前記表示画面における前記レンチキュラーシートに対応する領域の明るさを、それ以外の領域の明るさよりも明るくする手段であることを特徴とする請求項１から５のいずれか１項記載の表示装置。
【請求項７】
前記表示画面における前記レンチキュラーシートが配置された領域以外の領域に、タッチパネルが配置されてなることを特徴とする請求項１から６のいずれか１項記載の表示装置。
【請求項８】
２次元表示手段と、
前記２次元表示手段の表示画面の少なくとも一部を覆うように該表示画面に取り付けられた、複数のシリンドリカルレンズを平行に並べて構成されるレンチキュラーシートとを備えた表示装置における表示方法であって、
左右視点用の画像から生成した３次元画像を、前記２次元表示手段における前記レンチキュラーシートの領域に表示し、それ以外の領域に２次元画像を表示することを特徴とする表示方法。
【発明の詳細な説明】
【技術分野】
【０００１】
本発明は、レンチキュラーシートを用いることにより画像の立体視が可能な表示装置および方法に関するものである。
【背景技術】
【０００２】
複数の画像を組み合わせて３次元表示することにより、視差を利用して立体視できることが知られている。このような立体視は、同一の被写体を異なる位置から複数のカメラを用いて撮影することにより、視差を有する複数の画像（視差画像とする）を取得し、複数の視差画像に含まれる被写体の視差を利用して複数の視差画像を３次元表示することにより行うことができる。
【０００３】
ここで、画像を３次元表示するための装置として、レンチキュラーレンズシート（以下レンチキュラーシートとする）が画面に取り付けられた３次元表示装置が公知である（特許文献１参照）。レンチキュラーレンズは、断面凸形状のシリンドリカルレンズを複数並べて配列して構成されてなるものである。このようなレンチキュラーシートのシリンドリカルレンズのそれぞれに対応して、短冊状に切り取った左右の視点用の複数の視差画像を交互に並べることにより３次元画像を生成し、３次元画像を３次元表示装置に表示し、レンチキュラーシートを通して３次元画像を観察することにより、観察者は両眼の視差によって、表示された３次元画像を立体視することができる。
【０００４】
ところで、上述したレンチキュラーシートを用いた３次元表示装置においては、シリンドリカルレンズのそれぞれに表示される互いに隣接する画素は、それぞれ異なる視点の画像を表示するものとなっている。このため、３次元表示装置に２次元画像を表示した場合、２次元画像における隣り合う画素がそれぞれ異なる方向に見えてしまうため、２次元画像の解像度が低下してしまうという問題がある。このように解像度が低下すると、とくに２次元画像に文字が含まれている場合、文字が読みにくくなってしまう。
【０００５】
このため、２次元表示装置の画面の一部にレンチキュラーシートを移動可能に配設し、高速でレンチキュラーシートを振動させることにより、レンチキュラーシートが存在しないような状態を作り出して、２次元画像の解像度の低下を防止する手法が提案されている（特許文献２参照）。
【先行技術文献】
【特許文献】
【０００６】
【特許文献１】特開平７−１０３７８４号公報
【特許文献２】特開２００９−０１５１５０号公報
【発明の概要】
【発明が解決しようとする課題】
【０００７】
しかしながら、特許文献２に記載された手法は、レンチキュラーシートを振動させるための機構が必要となるため、表示装置の構成が大がかりなものとなる。
【０００８】
本発明は、上記事情に鑑みなされたものであり、３次元表示を行うことができる表示装置において、簡易な構成により２次元画像の解像度の低下を防止することを目的とする。
【課題を解決するための手段】
【０００９】
本発明による表示装置は、２次元表示手段と、
前記２次元表示手段の表示画面の少なくとも一部を覆うように該表示画面に取り付けられた、複数のシリンドリカルレンズを平行に並べて構成されるレンチキュラーシートと、
左右視点用の画像から生成した３次元画像を、前記２次元表示手段における前記レンチキュラーシートの領域に表示し、それ以外の領域に２次元画像を表示する表示制御手段とを備えたことを特徴とするものである。
【００１０】
２次元表示手段としては、画像および文字等の各種情報を表示可能な平面的な表示画面を備えるものであり、液晶ディスプレイ（ＬＣＤ）、プラズマディスプレイ、ＣＲＴ等の公知の表示手段を用いることができる。
【００１１】
「２次元画像」とは、３次元画像とは異なり、レンチキュラーシートを通しても立体視ができない画像である。
【００１２】
なお、本発明による表示装置においては、前記２次元画像を文字を含むものとしてもよい。
【００１３】
また、本発明による表示装置においては、前記表示制御手段を、画像を表す画像信号を前記表示画面における所定方向に走査することにより前記画像を表示する手段とし、
前記レンチキュラーシートを、前記表示画面を前記所定方向に沿って分割するように配置してもよい。
【００１４】
この場合、前記レンチキュラーシートの端部における前記シリンドリカルレンズの高さを徐々に小さくなるように形成してもよい。
【００１５】
また、本発明による表示装置においては、前記表示制御手段を、前記画像を表す画像信号を前記表示画面における所定方向に走査することにより前記画像を表示する手段とし、
前記レンチキュラーシートを、前記表示画面を前記所定方向に直交する方向に沿って分割するように配置してもよい。
【００１６】
また、本発明による表示装置においては、前記２次元表示手段を、前記表示画面における前記レンチキュラーシートに対応する領域の明るさを、それ以外の領域の明るさよりも明るくする手段としてもよい。
【００１７】
また、本発明による表示装置においては、前記表示画面における前記レンチキュラーシートが配置された領域以外の領域に、タッチパネルを配置してもよい。
【００１８】
「タッチパネル」とは、操作者が指で触れることにより接触した位置を検出して入力を行うもののみならず、タッチペン等により接触された位置を検出して入力を行うものをも含む。
【００１９】
本発明による表示方法は、２次元表示手段と、
前記２次元表示手段の表示画面の少なくとも一部を覆うように該表示画面に取り付けられた、複数のシリンドリカルレンズを平行に並べて構成されるレンチキュラーシートとを備えた表示装置における表示方法であって、
左右視点用の画像から生成した３次元画像を、前記２次元表示手段における前記レンチキュラーシートの領域に表示し、それ以外の領域に２次元画像を表示することを特徴とするものである。
【発明の効果】
【００２０】
本発明によれば、２次元表示手段の表示画面の一部がレンチキュラーシートにより覆われてなる。そして、３次元画像がレンチキュラーシートの領域に表示され、レンチキュラーシート以外の領域に２次元画像が表示される。このため、レンチキュラーシートの存在によって、２次元画像の解像度が低下してしまうことを防止できる。また、特許文献２に記載されたようにレンチキュラーシートを振動させるための機構が不要であるため、表示装置の構成を簡易なものとすることができる。
【００２１】
とくに２次元画像が文字を含む場合、文字が読みにくくなることを防止できる。
【００２２】
また、表示制御手段が画像を表す画像信号を２次元表示手段の表示画面における所定方向に走査することにより画像を表示する手段である場合において、表示画面を所定方向に沿って分割するようにレンチキュラーシートを配置することにより、画像表示のための１回の走査中に、画像信号に３次元画像の画像信号と２次元画像の画像信号とを混在させる必要がなくなる。したがって、画像信号を切り替えるための手段が不要となる。
【００２３】
なお、レンチキュラーシートを、２次元表示手段の表示画面を所定方向に沿って分割するように配置すると、シリンドリカルレンズの断面が２次元表示手段の表示画面上に現れ、断面の部分に表示された３次元画像が集光せず、明度ムラが発生する。このように明度ムラが発生すると、断面の周囲に表示された画像が見にくくなる。
【００２４】
このため、レンチキュラーシートにおける境界の端部におけるレンチキュラーレンズの高さを徐々に小さくなるように形成することにより、断面による明度ムラの発生を防止できるため、観察者はレンチキュラーシートの境界においても違和感なく画像を観察することができる。
【００２５】
また、表示制御手段が画像を表す画像信号を２次元表示手段の表示画面における所定方向に走査することにより画像を表示する手段である場合において、表示画面を所定方向に直交する方向に沿って分割するようにレンチキュラーシートを配置することにより、レンチキュラーシートの断面が２次元表示手段の表示画面に現れなくなるため、断面による明度ムラの発生を防止でき、その結果、観察者はレンチキュラーシートの境界においても違和感なく画像を観察することができる。
【００２６】
また、２次元表示手段の表示画面の一部にレンチキュラーシートを配置した場合、レンチキュラーシートの領域はそれ以外の領域よりも暗くなってしまう。このため、表示画面におけるレンチキュラーシートに対応する領域の明るさを、それ以外の領域の明るさよりも明るくすることにより、表示画面の全体で明度差が発生しなくなるため、表示される画像を見やすくすることができる。
【００２７】
また、レンチキュラーシートの表面は、シリンドリカルレンズによって表面に凹凸があるため、タッチパネルを設けることができない。しかしながら、本発明によれば、２次元表示手段の表示画面におけるレンチキュラーシートが配置された領域以外の領域にタッチパネルを配置することができ、これにより、立体視を行いつつ、タッチパネルを用いた入力が可能となる。
【図面の簡単な説明】
【００２８】
【図１】本発明の第１の実施形態による表示装置を適用した複眼カメラの内部構成を示す概略ブロック図
【図２】撮影部の構成を示す図
【図３】画像信号の走査を説明するための図
【図４】第１の実施形態によるモニタの構成を示す図
【図５】レンチキュラーシートの構成を示す図
【図６】第１の実施形態によるモニタの正面図
【図７】３次元処理を説明するための図
【図８】第１の実施形態においてモニタに画像を表示した状態を示す図
【図９】第２の実施形態においてモニタに画像を表示した状態を示す図
【図１０】第２の実施形態におけるレンチキュラーシートの変形例を示す図
【図１１】第３の実施形態においてモニタに画像を表示した状態を示す図
【図１２】第４の実施形態によるモニタの構成を示す図
【図１３】本実施形態によるモニタにタッチパネルを設けた状態を示す図
【発明を実施するための形態】
【００２９】
以下、図面を参照して本発明の実施形態について説明する。図１は本発明の第１の実施形態による表示装置を適用した複眼カメラの内部構成を示す概略ブロック図である。図１に示すように第１の実施形態による複眼カメラ１は、２つの撮影部２１Ａ，２１Ｂ、撮影制御部２２、画像処理部２３、圧縮／伸長処理部２４、フレームメモリ２５、メディア制御部２６、内部メモリ２７、および表示制御部２８を備える。
【００３０】
図２は撮影部２１Ａ，２１Ｂの構成を示す図である。図２に示すように撮影部２１Ａ，２１Ｂは、レンズ１０Ａ，１０Ｂ、絞り１１Ａ，１１Ｂ、シャッタ１２Ａ，１２Ｂ、撮像素子１３Ａ，１３Ｂ、アナログフロントエンド（ＡＦＥ）１４Ａ，１４ＢおよびＡ／Ｄ変換部１５Ａ，１５Ｂをそれぞれ備える。
【００３１】
レンズ１０Ａ，１０Ｂは、被写体に焦点を合わせるためのフォーカスレンズ、ズーム機能を実現するためのズームレンズ等の複数の機能別レンズにより構成され、撮影制御部２２が行うＡＦ処理により得られる合焦データおよび不図示のズームレバーを操作することにより得られるズームデータに基づいて、不図示のレンズ駆動部によりその位置が調整される。
【００３２】
絞り１１Ａ，１１Ｂは、撮影制御部２２が行うＡＥ処理により得られる絞り値データに基づいて、不図示の絞り駆動部により絞り径の調整が行われる。
【００３３】
シャッタ１２Ａ，１２Ｂはメカニカルシャッタであり、不図示のシャッタ駆動部により、ＡＥ処理により得られるシャッタスピードに応じて駆動される。
【００３４】
撮像素子１３Ａ，１３Ｂは、多数の受光素子を２次元的に配列した光電面を有しており、被写体光がこの光電面に結像して光電変換されてアナログ撮影信号が取得される。また、撮像素子１３Ａ，１３Ｂの前面にはＲ，Ｇ，Ｂ各色のフィルタが規則的に配列されたカラーフィルタが配設されている。
【００３５】
ＡＦＥ１４Ａ，１４Ｂは、撮像素子１３Ａ，１３Ｂから出力されるアナログ撮影信号に対して、アナログ撮影信号のノイズを除去する処理、およびアナログ撮影信号のゲインを調節する処理（以下アナログ処理とする）を施す。
【００３６】
Ａ／Ｄ変換部１５Ａ，１５Ｂは、ＡＦＥ１４Ａ，１４Ｂによりアナログ処理が施されたアナログ撮影信号をデジタル信号に変換する。なお、撮影部２１Ａにより取得されるデジタルの画像データにより表される画像を第１の画像Ｇ１、撮影部２１Ｂにより取得される画像データにより表される画像を第２の画像Ｇ２とする。
【００３７】
撮影制御部２２は、不図示のＡＦ処理部およびＡＥ処理部からなる。ＡＦ処理部は入出力部３４に含まれるレリーズボタンの半押し操作により撮影部２１Ａ，２１Ｂが取得したプレ画像に基づいて合焦領域を決定するとともにレンズ１０Ａ，１０Ｂの焦点位置を決定し、撮影部２１Ａ，２１Ｂに出力する。ＡＥ処理部は、プレ画像に基づいて絞り値とシャッタ速度とを決定し、撮影部２１Ａ，２１Ｂに出力する。
【００３８】
ここで、ＡＦ処理による焦点位置の検出方式としては、例えば、所望とする被写体にピントが合った状態では画像のコントラストが高くなるという特徴を利用して合焦位置を検出するパッシブ方式が考えられる。
【００３９】
また、撮影制御部２２は、レリーズボタンの全押し操作により、撮影部２１Ａ，２１Ｂに対して第１および第２の画像Ｇ１，Ｇ２の本画像を取得させる本撮影の指示を行う。なお、レリーズボタンが操作される前は、撮影制御部２２は、撮影部２１Ａに対して撮影範囲を確認させるための、第１および第２の画像Ｇ１，Ｇ２よりも画素数が少ないスルー画像を、所定時間間隔（例えば１／３０秒間隔）にて順次取得させる指示を行う。
【００４０】
画像処理部２３は、撮影部２１Ａ，２１Ｂが取得した第１および第２の画像Ｇ１，Ｇ２のデジタルの画像データに対して、ホワイトバランスを調整する処理、階調補正、シャープネス補正、および色補正等の画像処理を施す。なお、画像処理部２３における処理後の第１および第２の画像についても、処理前の参照符号Ｇ１，Ｇ２を用いるものとする。
【００４１】
圧縮／伸長処理部２４は、画像処理部２３によって処理が施され、後述するように３次元表示のために第１および第２の画像Ｇ１，Ｇ２の本画像から生成された３次元画像を表す画像データに対して、例えば、ＪＰＥＧ等の圧縮形式で圧縮処理を行い、３次元画像ファイルを生成する。この３次元画像ファイルは、第１および第２の画像Ｇ１，Ｇ２の画像データおよび３次元画像の画像データを含むものとなる。また、この画像ファイルには、Ｅｘｉｆフォーマット等に基づいて、撮影日時等の付帯情報が格納されたタグが付与される。
【００４２】
フレームメモリ２５は、撮影部２１Ａ，２１Ｂが取得した第１および第２の画像Ｇ１，Ｇ２を表す画像データに対して、前述の画像処理部２３が行う処理を含む各種処理を行う際に使用する作業用メモリである。
【００４３】
メディア制御部２６は、記録メディア２９にアクセスして画像ファイル等の書き込みと読み込みの制御を行う。
【００４４】
内部メモリ２７は、複眼カメラ１において設定される各種定数、およびＣＰＵ３３が実行するプログラム等を記憶する。
【００４５】
表示制御部２８は、撮影時においてフレームメモリ２５に格納された第１および第２の画像Ｇ１，Ｇ２および第１および第２の画像Ｇ１，Ｇ２から生成された３次元画像Ｇ３をモニタ２０に表示させたり、記録メディア２９に記録されている第１および第２の画像Ｇ１，Ｇ２および３次元画像Ｇ３をモニタ２０に表示させたりする。
【００４６】
なお、表示制御部２８はモニタ２０に表示する画像の画像信号を図３に示すように略水平方向に走査することにより、モニタ２０に画像を表示する。
【００４７】
図４は第１の実施形態によるモニタ２０の構成を示す図である。図４に示すように、モニタ２０は、ＬＥＤにより発光するバックライトユニット４０および各種表示を行うためのＬＣＤパネル４１を積層し、ＬＣＤパネル４１にレンチキュラーシート４２を取り付けることにより構成されている。
【００４８】
図５はレンチキュラーシートの構成を示す図である。図５に示すようにレンチキュラーシート４２は、複数のシリンドリカルレンズ４３を並列に並べることにより構成されている。ここで、レンチキュラーシート４２のサイズは、ＬＣＤパネル４１のサイズよりも小さく、レンチキュラーシート４２をＬＣＤパネル４１に取り付けることにより、図６に示すようにモニタ２０の表示画面は中央付近にのみレンチキュラーシート４２が取り付けられ、その周囲にはレンチキュラーシート４２が存在しないものとなる。なお、レンチキュラーシート４２が存在しない領域の大きさは、そこに表示する文字およびアイコン等の２次元画像の情報量に応じて適宜設定すればよい。
【００４９】
また、本実施形態による複眼カメラ１は３次元処理部３０を備える。３次元処理部３０は、第１および第２の画像Ｇ１，Ｇ２をモニタ２０に３次元表示させるために、第１および第２の画像Ｇ１，Ｇ２に３次元処理を行って３次元画像Ｇ３を生成する。図７は３次元処理を説明するための図である。図７に示すように３次元処理部３０は、第１および第２の画像Ｇ１，Ｇ２を垂直方向に短冊状に切り取り、レンチキュラーシート４２におけるシリンドリカルレンズ４３のそれぞれに、位置が対応する短冊状に切り取った第１および第２の画像Ｇ１，Ｇ２を交互に配置するように３次元処理を行って、３次元画像Ｇ３を生成する。
【００５０】
ＣＰＵ３３は、レリーズボタンおよびズームレバー等を含む入出力部３４からの信号に応じて複眼カメラ１の各部を制御する。
【００５１】
データバス３５は、複眼カメラ１を構成する各部およびＣＰＵ３３に接続されており、複眼カメラ１における各種データおよび各種情報のやり取りを行う。
【００５２】
次いで、第１の実施形態において行われるモニタ２０への表示の処理について説明する。図８は第１の実施形態においてモニタ２０に画像を表示した状態を示す図である。図８に示すように、第１の実施形態においては、表示制御部２８が、モニタ２０におけるレンチキュラーシート４２に対応する領域Ａ１に、３次元処理部３０が生成した３次元画像Ｇ３を表示する。また、レンチキュラーシート４２が存在しない領域Ａ２に、各種文字およびアイコン等の２次元画像を表示する。具体的には、ズーム動作を行う際にズーム倍率を示すズームバー５０、動作モード５１、表示中の３次元画像のファイル名５２、電池残量を示すアイコン５３、ファイルプロテクトされていることを示すアイコン５４、ＩＳＯ感度５５および撮影日時５６を領域Ａ２に表示する。なお、このうち、動作モード５１、ファイル名５２、ＩＳＯ感度５５および撮影日時５６が文字を含むものとなっている。
【００５３】
このように、第１の実施形態においては、モニタ２０の表示画面の一部をレンチキュラーシート４２により覆い、レンチキュラーシート４２の領域Ａ１に３次元画像Ｇ３を表示し、それ以外の領域Ａ２に文字およびアイコン等の２次元画像を表示するようにしたものである。このため、レンチキュラーシート４２の存在によって領域Ａ２に表示される画像の解像度が低下してしまうことを防止でき、その結果、文字が読みにくくなったり、アイコンが見にくくなったりすることを防止できる。また、特許文献２に記載されたようにレンチキュラーシートを振動させるための機構が不要であるため、モニタ２０の構成を簡易なものとすることができる。
【００５４】
次いで、本発明の第２の実施形態について説明する。図９は第２の実施形態においてモニタに画像を表示した状態を示す図である。第１の実施形態においては、モニタ２０の表示画面の中央部分にレンチキュラーシート４２を取り付けているが、第２の実施形態においては、モニタ２０における画像信号の走査方向に沿って表示画面を上下に分割するように、レンチキュラーシート４２を取り付けている点が第１の実施形態と異なる。これにより、モニタ２０の表示画面にはその中央部分を左右に横切るようにレンチキュラーシート４２が取り付けられ、表示画面の上下にレンチキュラーシート４２が存在しない領域Ａ２，Ａ３が現れることとなる。
【００５５】
そして、第２の実施形態においては、図９に示すように、表示制御部２８が、モニタ２０におけるレンチキュラーシート４２に対応する領域Ａ１に、３次元処理部３０が生成した３次元画像Ｇ３を表示する。また、レンチキュラーシート４２が存在しない領域Ａ２，Ａ３に、各種文字およびアイコン等の２次元画像を表示する。具体的には、動作モード５１、表示中の３次元画像のファイル名５２、およびファイルプロテクトされていることを示すアイコン５４を領域Ａ２に、電池残量を示すアイコン５３および撮影日時５６を領域Ａ３に表示する。
【００５６】
このように、第２の実施形態においては、レンチキュラーシート４２を、モニタ２０の表示画面を画像信号の走査方向に沿って分割するように配置したものである。このため、画像表示のための１回の走査中に、画像信号に３次元画像の画像信号と２次元画像の画像信号とを混在させる必要がなくなる。したがって、画像信号を切り替えるための手段が不要となる。
【００５７】
なお、第２の実施形態に示すようにレンチキュラーシート４２を、モニタ２０の表示画面を画像信号の走査方向に沿って分割するように配置すると、レンチキュラーシート４２におけるシリンドリカルレンズの断面がモニタ２０の表示画面上に現れ、断面の部分にモニタ２０に表示された３次元画像が集光せず、明度ムラが発生する。このように明度ムラが発生すると、断面の周囲に表示された画像が見にくくなる。
【００５８】
このため、図１０に示すように、レンチキュラーシートにおける境界の端部におけるシリンドリカルレンズ４３の高さを、モニタ２０の表示画面に近づくように徐々に小さくなるように形成することが好ましい。これにより、レンチキュラーシート４２の効果を徐々になくすことができるため、断面による明度ムラの発生を防止でき、その結果、観察者は、レンチキュラーシート４２の境界においても違和感なく画像を観察することができる。
【００５９】
次いで、本発明の第３の実施形態について説明する。図１１は第３の実施形態におけるモニタに画像を表示した状態を示す図である。第１の実施形態においては、モニタ２０の表示画面の中央部分にレンチキュラーシート４２を取り付けているが、第３の実施形態においては、モニタ２０における画像信号の走査方向に直交する方向に沿って表示画面を左右に分割するように、レンチキュラーシート４２を取り付けている点が第１の実施形態と異なる。これにより、モニタ２０の表示画面にはその中央部分を上下に横切るようにレンチキュラーシート４２が取り付けられ、表示画面の左右にレンチキュラーシート４２が存在しない領域Ａ２，Ａ３が現れることとなる。
【００６０】
そして、第３の実施形態においては、図１１に示すように、表示制御部２８が、モニタ２０におけるレンチキュラーシート４２に対応する領域Ａ１に、３次元処理部３０が生成した３次元画像Ｇ３を表示する。また、レンチキュラーシート４２が存在しない領域Ａ２，Ａ３に、各種文字およびアイコン等の２次元画像を表示する。具体的には、ズーム動作を行う際にズーム倍率を示すズームバー５０および動作モード５１を領域Ａ２に、表示中の３次元画像のファイル名５２、電池残量を示すアイコン５３、ファイルプロテクトされていることを示すアイコン５４およびＩＳＯ感度５５を領域Ａ３に表示する。
【００６１】
このように、第３の実施形態においては、レンチキュラーシート４２を、モニタ２０の表示画面を画像信号の走査方向に直交する方向に沿って分割するように配置したものである。このため、レンチキュラーシート４２の断面がモニタ２０の表示画面に現れなくなるため、断面による明度ムラの発生を防止でき、その結果、観察者は、レンチキュラーシート４２の境界においても違和感なく画像を観察することができる。
【００６２】
なお、上記第１から第３の実施形態に示すように、モニタ２０の表示画面の一部にレンチキュラーシート４２を取り付けた場合、レンチキュラーシート４２の領域はそれ以外の領域よりも暗くなってしまう。このため、モニタ２０におけるレンチキュラーシート４２に対応する領域の明るさを、それ以外の領域の明るさよりも明るくするようにしてもよい。以下、これを第４の実施形態として説明する。
【００６３】
図１２は第４の実施形態におけるモニタの構成を示す図である。なお、ここでは第１の実施形態におけるモニタを使用しているが第２および第３の実施形態によるモニタにも同様に第４の実施形態を適用できるものである。図１２に示すように第４の実施形態におけるモニタ２０は、バックライトユニット４０ＡおよびＬＣＤパネル４１を積層し、ＬＣＤパネル４１にレンチキュラーシート４２を取り付けることにより構成されている。ここで、第４の実施形態においては、バックライトユニット４０Ａにおけるレンチキュラーシート４２に対応する領域Ａ１１を、それ以外の領域Ａ１２よりも高輝度となるようにしたものである。具体的には、バックライトユニット４０Ａに取り付けられているＬＥＤのうち、領域Ａ１１用のＬＥＤを高輝度のものとしたものである。
【００６４】
これにより、モニタ２０に３次元画像および文字画像を表示した場合、モニタ２０の全体で明度差が発生しなくなるため、モニタ２０に表示される画像を見やすくすることができる。
【００６５】
ところで、レンチキュラーシート４２の表面は、シリンドリカルレンズ４３によって表面に凹凸があるため、タッチパネルを設けることができない。しかしながら、上記第１から第４の実施形態においては、図１３に示すように、モニタ２０におけるレンチキュラーシート４２が配置された以外の領域に、タッチパネル４５を配置することができる。このようにタッチパネル４５を配置することにより、立体視を行いつつも、タッチパネルを用いた入力が可能となる。
【００６６】
なお、上記第１から第４の実施形態においては、本発明による表示装置を複眼カメラ１に適用しているが、レンチキュラーシートにより画像を立体視させるための表示装置、および表示装置を備えた携帯電話等の各種装置にも本発明を適用できることはもちろんである。
【符号の説明】
【００６７】
１    複眼カメラ
２０    モニタ
２１Ａ，２１Ｂ    撮影部
２２    撮影制御部
２８    表示制御部
３０    ３次元処理部
４０    バックライトユニット
４１    ＬＣＤパネル
４２    レンチキュラーシート
４５    タッチパネル
【図１】
2010193340.tif 000003
【図２】
2010193340.tif 000004
【図３】
2010193340.tif 000005
【図４】
2010193340.tif 000006
【図５】
2010193340.tif 000007
【図６】
2010193340.tif 000008
【図７】
2010193340.tif 000009
【図８】
2010193340.tif 000010
【図９】
2010193340.tif 000011
【図１０】
2010193340.tif 000012
【図１１】
2010193340.tif 000013
【図１２】
2010193340.tif 000014
【図１３】
2010193340.tif 000015